(57)【要約】  中央シャーシとベルト構造部とを含む使い捨て吸収性パンツが、本明細書に開示される。
2015515921.tif 000002
【特許請求の範囲】
【請求項１】
前側腰部領域、後側腰部領域、及び股部区域を有する使い捨て吸収性パンツであって、
股部区域の位置を占め、かつ左側及び右側長手方向縁部と、液体透過性トップシートと、液体不透過性バックシートと、前記トップシートと前記バックシートとの間に配置される吸収性コアとを備える、中央シャーシと、
前記中央シャーシの周りに配置されるベルト構造部であって、前記ベルト構造部は、多層ウェブを備え、前記多層ウェブは、前記前側及び後側腰部領域で前記バックシートの外側まで前記バックシートの上に重なり、前記ベルト構造部が、前記シャーシから、及び前記前側及び後側腰部領域のそれぞれの前記左側及び右側の長手方向縁部のそれぞれから側方外向きに延在し、前記ベルト構造部が、前側腰部縁部、前側左側及び前側右側脚部開口部縁部、及び前側左側及び前側右側側縁部を有する前側部分を有し、かつ前記ベルト構造部が、後側腰部縁部、後側左側及び後側右側脚部開口部縁部、及び後側左側及び後側右側側縁部を有する後側部分を有し、前記前側及び後側左側側縁部のそれぞれ並びに前記前側及び後側右側側縁部のそれぞれがサイドシームにおいて結合し、前記ベルト構造部が、腰部開口部並びに左側及び右側脚部開口部を形成する、ベルト構造部とを備え、
前記ベルト構造部の前記前側部分及び後側部分のそれぞれが、更に、
内側不織布ウェブで形成される内側層と、
外側不織布ウェブで形成される外側層と、
中間不織布ウェブから形成され、かつ前記内側層と前記外側層との間に配置される中間層と、
当該部分を横切って側方方向に連続的に延在し、かつ前記側縁部に近接する末端部を有する、前記内側層と前記外側層との間に配置される腰部弾性部材と、
前記内側層と前記外側層との間にそれぞれ配置され、前記左側又は右側脚部開口部のそれぞれの縁部の少なくとも一部に沿い、かつこれに近接する曲線状経路に沿ってそれぞれ連続的に延在し、前記シャーシの前記左側又は右側長手方向縁部のそれぞれに近接し、前記ベルトの前記左側又は右側側縁部のそれぞれに近接する末端部をそれぞれ有する、左側及び右側脚部弾性部材と、
前記内側層、中間層、又は外側層のうちの少なくとも１つにおいて、前記腰部弾性部材及び脚部弾性部材によって位置を占められる経路の周辺にあり、かつこれに横断方向に配向された複数のシャーリングと、を備え、
前記内側層及び外側層のうちの少なくとも１つが、前記中央シャーシ上を、その外側まで、前記股部区域を通して広がる、包囲層である、パンツ。
【請求項２】
前記ベルト構造部の前記前側部分及び後側部分のそれぞれの前記腰部弾性部材が、前記前側又は後側腰部縁部のそれぞれに沿い、かつ近接して配置される、請求項１に記載のパンツ。
【請求項３】
前記ベルト構造部の前記前側部分及び後側部分のそれぞれにおける、前記腰部弾性部材、並びに前記左側及び右側脚部弾性部材が、その前記内側層と前記中間層との間に配置される、請求項１又は２に記載のパンツ。
【請求項４】
前記ベルト構造部の前記前側部分及び後側部分のそれぞれにおける前記腰部弾性部材、並びに左側及び右側脚部弾性部材のうちの１つの部材が、その前記内側層と前記中間層との間に配置され、かつ前記ベルト構造部の前記前側部分及び後側部分のそれぞれにおける前記腰部弾性部材、並びに左側及び右側脚部弾性部材のうちの他の部材が、その前記中間層と前記外側層との間に配置される、請求項１又は２に記載のパンツ。
【請求項５】
前記ベルト構造部の前記前側部分及び後側部分のそれぞれにおける前記腰部弾性部材、並びに前記左側及び右側脚部弾性部材が、その前記中間層と前記外側層との間に配置される、請求項１又は２に記載のパンツ。
【請求項６】
前記ベルト構造部の前記前側部分及び後側部分のそれぞれが第３の弾性部材を更に備え、前記第３の弾性部材は、前記内側層と前記外側層との間に配置され、かつ前記腰部弾性部材と前記脚部弾性部材との間に配置される、請求項１〜５のいずれか一項に記載のパンツ。
【請求項７】
前記外側層の外側に配置される追加の弾性部材を有する、請求項１〜６のいずれか一項に記載のパンツ。
【請求項８】
前記追加の弾性部材が、内側のバンド層と外側のバンド層との間にある弾性のあるバンド構造物に配置される、請求項７に記載のパンツ。
【請求項９】
複数の弾性ストランドが、前記内側のバンド層と前記外側のバンド層との間にある弾性のあるバンド構造物に配置される、請求項８に記載のパンツ。
【請求項１０】
前記追加の弾性部材が、前記腰部縁部のうちの１つに近接して配置される、請求項７〜９のいずれか一項に記載のパンツ。
【請求項１１】
前記追加の弾性部材が、脚縁部のうちの１つに近接して配置される、請求項７〜９のいずれか一項に記載のパンツ。
【請求項１２】
前記ベルト構造部の前記前側部分及び前記後側部分のいずれか又は両方における前記腰部弾性部材及び前記脚部弾性部材が、弾性ストランド又はバンドの数、弾性ストランド又はバンドの断面寸法、弾性ストランド又はバンドの断面形状、弾性ストランド又はバンドが形成される材料の化学組成、製造の間に印加された予歪みの量、及びこれらの組み合わせからなる群から選択されるものに関して相互に異なる、請求項１〜１１のいずれか一項に記載のパンツ。
【請求項１３】
前側腰部領域、後側腰部領域、及び股部区域を有する使い捨て吸収性パンツであって、
股部区域の位置を占め、かつ左側及び右側長手方向縁部と、液体透過性トップシートと、液体不透過性バックシートと、前記トップシートと前記バックシートとの間に配置される吸収性コアとを備える、中央シャーシと、
前記中央シャーシの周りに配置されるベルト構造部であって、前記ベルト構造部は、多層ウェブを備え、前記多層ウェブは、前記前側及び後側腰部領域で前記バックシートの外側まで前記バックシートの上に重なり、前記ベルト構造部が、前記シャーシから、及び前記前側及び後側腰部領域のそれぞれの前記左側及び右側の長手方向縁部のそれぞれから側方外向きに延在し、前記ベルト構造部が、前側腰部縁部、前側左側及び前側右側脚部開口部縁部、及び前側左側及び前側右側側縁部を有する前側部分を有し、かつ前記ベルト構造部が、後側腰部縁部、後側左側及び後側右側脚部開口部縁部、及び後側左側及び後側右側側縁部を有する後側部分を有し、前記前側及び後側左側側縁部のそれぞれ並びに前記前側及び後側右側側縁部のそれぞれがサイドシームにおいて結合し、前記ベルト構造部が、腰部開口部並びに左側及び右側脚部開口部を形成する、ベルト構造部とを備え、
前記ベルト構造部の前記前側部分及び後側部分のそれぞれが、更に、
内側不織布ウェブで形成される内側層と、
外側不織布ウェブで形成される外側層と、
中間不織布ウェブから形成され、かつ前記内側層と前記外側層との間に配置される中間層と、
当該部分を横切って側方の方向に連続的に延在し、かつ前記側縁部に近接する末端部を有する、前記内側層と前記外側層との間に配置される腰部弾性部材と、
前記内側層と前記外側層との間にそれぞれ配置され、前記左側又は右側脚部開口部のそれぞれの縁部の少なくとも一部に沿い、かつこれに近接する曲線状経路に沿ってそれぞれ連続的に延在し、前記シャーシの前記左側又は右側長手方向縁部のそれぞれに近接し、前記ベルトの前記左側又は右側側縁部のそれぞれに近接する末端部をそれぞれ有する、左側及び右側脚部弾性部材と、
前記内側層、中間層、又は外側層のうちの少なくとも１つにおいて、前記腰部弾性部材及び脚部弾性部材によって位置を占められる経路の周辺にあり、かつこれに横断方向に配向された複数のシャーリングと、を備え、
前記内側層、中間層、及び外側層のうちの少なくとも１つが、前記中央シャーシ上を、その外側まで、前記股部区域を通して広がる、包囲層である、パンツ。
【発明の詳細な説明】
【背景技術】
【０００１】
現在、使い捨て吸収性パンツは、トイレトレーニングがまだできていない幼児及び幼い子ども、夜尿を経験している年長の子ども、並びに失禁に悩まされている大人が着用するために製造され、市販されている。使い捨て吸収性パンツは、通常、吸収性材料で形成されるコアを有する、液体透過性の着用者に面したトップシートと、液体不透過性の、外側の、又は衣類に面するバックシートとの間に封入された、中央シャーシを含む。シャーシは、通常着用者の上に位置付けられるように、着用者の脚部の間及び上向きに下部胴体の周囲を包んで、前側及び後側の端部が、前側及び後側で着用者のウエストラインにそれぞれ向かって延在するように適合される。シャーシは、そのいずれかの側のシャーシの前側及び後側領域を、一対の側部／腰部パネルへとしばしば結合し、それによってパンツ構造を形成する。多くの現在の設計では、側部／腰部パネルは、着用を容易にする一方で、いったん着用すると比較的ぴったりと合って、快適に適合する、伸長可能性を提供するように、側方の方向に弾性的に伸長可能になるように製造される。使い捨て吸収性パンツは、通常、２つの異なる全体的な構成のうちの１つで製造される。
【０００２】
第１の構成では、中央シャーシ構造のバックシート及びトップシートは、前側では着用者のへその近くの領域、そして後側では腰のくびれた部分まで、パンツの前側及び後側腰部縁部に延在、及び形成される。別個で、かつ分離している側部／腰部パネルは、中央シャーシ構造部の長手方向（側面）縁部に、その前側及び後側領域で結合し、これらを結合してパンツ構造を形成する。このタイプの構成の実施例は、現在米国で、Ｔｈｅ  Ｐｒｏｃｔｅｒ  ＆  Ｇａｍｂｌｅ  Ｃｏｍｐａｎｙによって、ＰＡＭＰＥＲＳ  ＥＡＳＹ  ＵＰＳという商標で製造され、販売されている。
【０００３】
第２の構成では、中央シャーシ構造部は、パンツの前側及び後側腰部縁部へと延在又は形成しない。むしろ、弾性のあるベルト構造部は、パンツ全体及び側部／腰部パネルの周囲で、着用者の腰部を全体的に取り囲み、腰部縁部を形成する。中央シャーシは、ベルト構造部に、その端部を前側及び後側腰部領域内の場所で、ベルト構造部の腰部縁部の若干下に配置して、通常その内側で結合する。この第２の構成は、しばしば「ベルト」又は「バルーン」構成として知られている（以下、「ベルト」構成と記載）。このタイプの構成の実施例は、現在アジアで、Ｔｈｅ  Ｐｒｏｃｔｅｒ  ＆  Ｇａｍｂｌｅ  ＣｏｍｐａｎｙによってＰＡＭＰＥＲＳという商標で、またＵｎｉｃｈａｒｍ  ＣｏｒｐｏｒａｔｉｏｎによってＭＡＭＹ  ＰＯＫＯという商標でも、製造され、販売されている。
【０００４】
その両方の構成は、それらの利点を有するが、いくつかの状況では、ベルト構成部が望ましいと見なされる場合がある。他の利点の中でも、取り囲むベルトは、側方の方向に弾性的に伸長可能に作製される場合があるので、相当な弾性伸長及び収縮、並びに着用者の腰部の周り全体に標的とする弾性特性が提供される場合がある。
【０００５】
最適な適合の目的、外観、及び封じ込めのために、パンツは、腰部及び臀部の周りにフープ状に側方だけでなく、弾性のあるレッグバンド又はレッグバンド様の構造部を提供するように、脚部のそれぞれの周りにもフープ状に弾性伸展性を有するのが望ましい場合がある。これは、腰部開口部を取り囲んで側方に延在する弾性部材に加えて、脚部開口部を少なくとも部分的に取り囲む構造部内に弾性部材を組み込むことによって達成される場合がある。いくつかの現在製造されているベルト構成パンツは、かかる弾性部材の配設を含むが、これらは粗い、又は仕上げされていない外観を有すると見なされる可能性があるか、又は製造の効率が悪い、又はその両方である。例えば、いくつかの現在の設計は、シャーシの前側領域と後側領域とを横切って連続し、重要な機能を何ら有さず、見苦しい外見を作り出す弾性部材を有する。
【発明の概要】
【発明が解決しようとする課題】
【０００６】
したがって、弾性のあるレッグバンド様の特性を提供し、効率的な製造性もまた提供するベルト構成の使い捨て吸収性パンツの設計に対する改善は、有利であることになる。
【図面の簡単な説明】
【０００７】
【図１】使い捨て吸収性パンツの簡略化した斜視図である。
【図２】内側、すなわち着用者に面する表面を上向きにして示した、使い捨て吸収性パンツの前の形の構造の簡略化した平面図である。
【図３Ａ】可能な構成の一実施例における、図２の線３−３を通して見た簡略化した概略の断面図である。
【図３Ｂ】可能な構成の別の実施例における、図２の線３−３を通して見た簡略化した概略の断面図である。
【図３Ｃ】可能な構成の別の実施例における図２の線３−３を通して見た簡略化した概略の断面図である。
【図４Ａ】様々な実施例における可能な構成の図２の線４−４を通して見た簡略化した概略の断面図である。
【図４Ｂ】様々な実施例における可能な構成の図２の線４−４を通して見た簡略化した概略の断面図である。
【図４Ｃ】様々な実施例における可能な構成の図２の線４−４を通して見た簡略化した概略の断面図である。
【図４Ｄ】様々な実施例における可能な構成の図２の線４−４を通して見た簡略化した概略の断面図である。
【図４Ｅ】様々な実施例における可能な構成の図２の線４−４を通して見た簡略化した概略の断面図である。
【図４Ｆ】様々な実施例における可能な構成の図２の線４−４を通して見た簡略化した概略の断面図である。
【図４Ｇ】様々な実施例における可能な構成の図２の線４−４を通して見た簡略化した概略の断面図である。
【図４Ｈ】様々な実施例における可能な構成の図２の線４−４を通して見た簡略化した概略の断面図である。
【図４Ｉ】様々な実施例における可能な構成の図２の線４−４を通して見た簡略化した概略の断面図である。
【図４Ｊ】様々な実施例における可能な構成の図２の線４−４を通して見た簡略化した概略の断面図である。
【図４Ｋ】様々な実施例における可能な構成の図２の線４−４を通して見た簡略化した概略の断面図である。
【図５Ａ】適用される弾性部材を有する不織布ウェブの部分の平面図である。
【図５Ｂ】横方向の視線に沿って示された、積層体を製造するための装置及び構成要素の簡略化した概略図である。
【図６Ａ】切断線とともに示した、多層ウェブの部分の平面図である。
【図６Ｂ】代替的な構成における切断線とともに示した、多層ウェブの部分の平面図である。
【図６Ｃ】中間セクションを切り取った図６Ａに示す多層ウェブの部分の平面図である。
【図６Ｄ】中間セクション切り取った図６Ｂに示す多層ウェブの部分の平面図である。
【図６Ｅ】横方向の視線に沿って示した積層体を製造するための装置及び構成要素の簡略化した概略図である。
【図７】パンツ構造体を製造するための方法を図示する、多層ウェブ及び適用されたシャーシ構造の平面図である。
【図８】２つの不織布層及び予歪みを与えた弾性部材を含む、不織布層内の弾性部材に沿った、シャーリングの形成をともなう多層ウェブの部分の平面図である。
【図９】図８の線９−９に沿って見た断面図である。
【図１０Ａ】図９のものと同様であるが、第３の層を含む断面図であり、第３の層は、弾性のある多層ウェブ構造体に含まれてもよく、かつ取り付けられてもよく、シャーリングの異なるパターンを付与してもよい、実施例を示す。
【図１０Ｂ】図９のものと同様であるが、第３の層を含む断面図であり、第３の層は、弾性のある多層ウェブ構造体に含まれてもよく、かつ取り付けられてもよく、シャーリングの異なるパターンを付与してもよい、実施例を示す。
【図１０Ｃ】図９のものと同様であるが、第３の層を含む断面図であり、第３の層は、弾性のある多層ウェブ構造体に含まれてもよく、かつ取り付けられてもよく、シャーリングの異なるパターンを付与してもよい、実施例を示す。
【発明を実施するための形態】
【０００８】
用語の定義
「横断方向」（ＣＤ）−不織布ウェブ材料の作製に対して、不織布材料自体、その積層体、又はその中の材料が構成要素である物品は、材料及び／又は物品が製造される製造ラインを通して材料の前進方向に実質的に垂直な材料に沿った方向を参照する。
【０００９】
本明細書で使用されるとき、用語「弾性」又は「エラストマーの」は、実質的な破裂又は破損なしで、ヒステリシス試験に従って測定されたときに、伸長の１０％以下の硬化で、ヒステリシス試験において１００％の歪みまで延びることができる伸長可能な材料（又は複数の材料の複合体）の特性を指す。弾性材料は、弾性的に延伸性であると見なされる。
【００１０】
「機械方向」（ＭＤ）−不織布ウェブ材料の作製に対して、不織布材料自体、その積層体、又はその中の材料が構成要素である物品は、材料及び／又は物品が製造される製造ラインを通して材料の前進方向に実質的に平行な材料に沿った方向を参照する。
【００１１】
「側方の」−パンツ及びその着用者に対して、着用者の立っている高さ方向に概して垂直な方向、又は着用者が立っているときに水平の方向を参照する。「側方の」は、前側腰部縁部の中点から後側腰部縁部の中点へと延在するラインに概して垂直な方向でもある。
【００１２】
「長手方向」−パンツ及びその着用者に対して、着用者の立っている高さ方向に概して平行な方向、又は着用者が立っているときに縦方向を参照する。「長手方向」は、前側腰部縁部の中点から後側腰部縁部の中点へと延在するラインに概して平行な方向でもある。
【００１３】
図１は、ベルト構成部を有する使い捨て吸収性パンツ１０の一般的な簡略化した斜視図である。パンツ１０は、中央シャーシ２０及びベルト構造部３０を含んでもよい。ベルト構造部３０は、着用を容易にし、かつ着用後にぴったりと合って快適に適合するような、弾性伸長性を提供するように側方の方向に弾性的に伸長可能であってもよい。中央シャーシ２０は、着用者に面する、液体透過性トップシート（図１には具体的には図示されない）と、外側の、すなわち衣類に面するバックシート（図１には具体的には図示されない）と、トップシートとバックシートとの間に挟み込まれた、又は封入された吸収性コア（図１には具体的には図示されない）とを含んでもよい。一対の側方に対向する、長手方向に延在するバリアーカフ２５も、その股部区域において、トップシートに隣接して配置される中央シャーシに含まれてもよい。一般に、中央シャーシ及びバリアーカフは、米国仮特許出願第６１／４８０，６６３号及びこれに対する優先権を主張する出願に記載されるものを含むがこれに限定されないものなどの、使い捨ておむつ、トレーニングパンツ、及び成人用の失禁パンツのために適切なレッグカフ構造部を含む、任意の構築及び構成要素を有してもよい。ベルト構造部３０は、前側部分３１及び後側部分３２を有してもよい。前側部分３１及び後側部分３２は、左側サイドシーム３３ｌ及び右側サイドシーム３３ｒのそれぞれとともに結合してもよい。ベルト構造部３０は、パンツ１０の腰部開口部１５、並びに左側脚部開口部縁部１３ｌ及び右側脚部開口部縁部１３ｒの少なくとも部分を画定する、前側腰部縁部１１及び後側腰部縁部１２を形成してもよい。
【００１４】
図２は、前側部分３１及び後側部分３２をそれらの側縁部３４ｌ、３５ｌ及び３４ｒ、３５ｒのそれぞれに沿って結合する前を示した、図１に示すパンツ１０の前の形の構造の簡略化した平面図である。前側部分３１を含む前側領域３１ａ、及び後側部分３２を含む後側領域３２ａは、それぞれ、前の形の構造の長手方向長さ全体の２５パーセント〜４０パーセントのいずれかを含む場合があり、相応して、股部区域４５は、前の形の構造の長手方向長さ全体の２０パーセント〜５０パーセントのいずれかを含む場合があり、これらの少なくとも一部が側方軸ＬＡにある。パンツ１０を形成するためには、前の形の構造を、前側領域３１ａ及び後側領域３２ａ、並びに前側部分３１及び後側部分３２を一緒に持ってくるように側方軸ＬＡに沿って折り曲げてもよく、その結果それらの側縁部３４ｌ、３５ｌ及び３４ｒ、３５ｒは、シーム３３ｌ、３３ｒにおいて、それぞれ結合してもよい（図１に示すように）。シーム３３ｌ、３３Ｒは、接着剤、熱、圧力、又は超音波接着、及びこれらの組み合わせによって形成されてもよい。代替的な実施例において、シームは、側縁部３４ｒ、３５ｒ及び３４ｌ、３５ｌに沿って配置されるフックアンドループ締結構成要素の協働する対などの機械的な締結具によって形成されてもよい。締結具としては、テープタブ、タブ＆スロットなどの相互係止締結具、バックル、ボタン、スナップ、及び／又は両性型締結構成要素が挙げられる場合がある。例示的な表面締結系は、米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示されるが、一方で例示的な相互係止締結系が米国特許第６，４３２，０９８号に開示される。締結系は、米国特許第４，６９９，６２２号に開示されるように、一次締結系及び二次締結系も含んでもよい。追加的に、例示的な締結具及び締結具配設、これらの締結具を形成する締結構成要素、並びに締結具を形成するために適切な材料が、米国公開特許出願第２００３／００６０７９４号、及び同第２００５／０２２２５４６号、並びに米国特許第６，４２８，５２６号に記載される。
【００１５】
図２を更に参照すると、前側部分３１及び後側部分３２は、腰部縁部１１、１２により近く配置される少なくとも第１の弾性部材３６、３７、及び脚部開口部縁部１３ｌ、１３ｒにより近く配置される少なくとも第２の弾性部材３８、３９の一方又はその両方を含んでもよい。図２において示唆されるように、１つ又は複数の腰部弾性部材３６、３７は、実質的に真っ直ぐ側方の配向に配置されてもよく、１つ又は複数の脚部弾性部材３８、３９は、脚部開口部１３ｌ、１３ｒの周りにフープ状の弾性伸長を提供するように曲線状の経路に沿って配置されてもよい（図１に示すように）。以下に記載するように、きちんとした外観を有するパンツを製造する目的で、脚部弾性部材３８、３９は、シャーシ２０の長手方向縁部２１のそれぞれに近接して終了するのが望ましい場合がある。本明細書の目的のために、２つの形状の間の位置関係を記述するために使用される場合、「近接する」は、識別される形状の２．０ｃｍ以内、より好ましくは、１．０ｃｍ以内を意味することを意図する。
【００１６】
弾性部材３６、３７、３８、及び３９は、例えば、同時係属中の米国特許出願整理番号第１１／４７８，３８６号、及び同第１３／３３１，６９５号、並びに米国特許第６，６２６，８７９号に記載されるものなどのような、任意のエラストマー材の任意の構成部で形成される、フィルム又は断片若しくはそのストリップ、ストリップ、リボン、帯、又は円形若しくは任意の他の断面の撚線の形態であってもよい。適切な実施例は、Ｉｎｖｉｓｔａ（米国カンサス州Ｗｉｃｈｉｔａ）の製品である、ＬＹＣＲＡ  ＨＹＦＩＴストランドである。
【００１７】
図３Ａ〜図３Ｃは、図２に示すように、ベルト構造部の後側部分３２及びパンツの後側領域を通した、線３−３においてとられた、潜在的な長手方向断面図の実施例であり、３つの可能な構成における特性を示す。これらの特定の実施例のそれぞれにおいて、断面図は、ベルト構造部の前側部分３１、及びパンツの前側領域を通してとった断面図と実質的に鏡面対称であってもよいことを理解することができる。
【００１８】
図４Ａは、図２に示すように、ベルト構造部の後側部分３２及びパンツの後側領域を通した線４−４においてとられた潜在的な長手方向断面図の実施例であり、１つの構成部における特性を図示する。この断面図は、また実質的にベルト構造部の前側部分３１及びパンツの前側領域を通してとった断面図の鏡像であってもよいことも理解することができる。図４Ａに示すベルト構造部３０では、図３Ａに示すものと同一の層及び構成要素を有するが、脚部弾性部材３９の追加を有し、断面図の場所結果として、シャーシ構成要素を有しない。図２で示唆されるように、脚部弾性部材３９は、中央シャーシ２０の長手方向縁部２１に近接して終了する場合があり、したがって、これらは図３Ａ及び図３Ｂには示されない。図４Ａ〜図４Ｋに示すように、追加的な弾性部（図示せず）は、腰部弾性部と脚部弾性部との間に長手方向に配置される場合がある。
【００１９】
図３Ａ〜図３Ｃを参照すると、シャーシ２０は、その内側の、着用者に面する表面の少なくとも一部を形成する液体透過性トップシート２２を有してもよい。トップシート２２は、好ましくは、軟らかく、かつ敏感な皮膚と相性がよい不織布ウェブ材料から形成されてもよく、使い捨ておむつ、トレーニングパンツ、及び例えば、同時係属中の米国特許出願整理番号第１２／８４１，５５３号に記載されるものを含む、インサートに使用されるトップシートから形成され、かつこのトップシートの特性のいずれかを有してもよい。シャーシ２０は、液体不透過性であってもよい、外向きに面するバックシート２４も有してもよい。バックシート２４は、例えば、すぐ上で参照した同時係属中の米国特許出願に記載されるものを含む、使い捨ておむつ及びトレーニングパンツで使用されるバックシートで形成されてもよく、その特性のうちのいずれかを有してもよい。シャーシ２０は、トップシート２２とバックシート２４との間に配置される吸収性コア２３も有してもよい。吸収性コア２３は、１つ以上の吸収性収集、分配、並びに貯蔵材料層及び／又は構成要素を含んでもよく、これはすぐ上で参照した同時係属中の米国特許出願に記載されるものを含む、使い捨ておむつ及びトレーニングパンツで使用される吸収性コアで形成されてもよく、その特性のうちのいずれかを有してもよい。
【００２０】
図３Ａ〜図３Ｃで示唆されるように、シャーシ２０は、ベルト構造部３０に、その内側の、着用者に面する側に付着されてもよく、又は別の方法としては、その外側の、衣類に面する表面に付着されてもよい。シャーシ２０は、ベルト構造部３０に、接着剤によって、熱接合／溶接、機械的な締結具、又はこれらの組み合わせによって接合されてもよい。
【００２１】
図３Ａ及び図４Ａを参照すると、ベルト構造部３０は、好適な不織布ウェブ材料で形成されてもよい第１のベルト層４０を有してもよい。第１のベルト層は、着用者の皮膚と直接接触する場合があるので、軟らかく、快適で、かつ比較的通気性／蒸気透過性がある層のために、不織布ウェブ材料を選択するのが好ましいと見なされる。１つ以上の腰部弾性部材３７は、第１のベルト層４０と第２のベルト層４１との間に配置されてもよい。第２のベルト層４１は、第１のベルト層４０と同一の、類似の、又は異なる不織布ウェブ材料で形成されてもよい。第１のベルト層４０及び第２のベルト層４１は、第１のベルト層４０及び第２のベルト層４１が、１つ以上の腰部弾性部材３７を挟み込み、かつその間に付着して、積層を形成するように、接着剤、熱接合のパターン、又はこれらの組み合わせによってともに接合されてもよい。同様に、図４Ａを参照すると、１つ以上の脚部弾性部材３９は、第１のベルト層４０と第２のベルト層４１との間に付着し、かつ挟み込んでもよい。
【００２２】
図８及び図９を参照すると、製造の間に、１つ以上の腰部弾性部材３７は、ベルト層の間に付着される前に、それらの長さ、すなわち長い寸法の方向に沿って、製造が完了し、それに続く弛緩のときに、弾性部材３７の収縮が、第１のベルト層４０及び第２のベルト層４１の皺、ひだ、波形、又は凹凸のパターン（以下、「シャーリング」）４３を誘発するように、予歪みを与えてもよい。シャーリング４３は、収縮するときに弾性部材の周りに寄せ集められる材料で形成され、寄せ集められた材料は、ベルト構造部３０の伸長及び収縮に順応するように機能する。シャーリング４３は、おおまかに横断方向、又は弾性部材３７の側方の収縮の方向に垂直な折り目又は折り曲げラインに沿って配向される。
【００２３】
同様に、１つ以上の脚部弾性部材３９は、製造の間に層の間に付着される前に、製造が完了し、引き続いて弾性部材３９の弛緩、収縮が、第１のベルト層４０及び第２のベルト層４１において、シャーリングのパターンを誘発するように、それらの配置の経路（留意されるように、曲線状であってもよい）に沿って予歪みを与えてもよい。これらのシャーリングもまた、材料で形成される収縮にともない弾性部材の周りに寄せ集め、かつ脚部開口部の周りでベルト構造部３０の伸長及び収縮に順応するように機能する。シャーリングは、弾性部材３９の収縮の方向におおまかに横断方向に又は垂直に、折り目又は皺のラインに沿って配向される。
【００２４】
図８及び図９を更に参照すると、被着された部分４４において、一定のパターン及び／又は間隔で、層を弾性部材３７、３９に接着するように、層４０、４１に対して、及び／又は弾性部材３７、３９に対して、のいずれかの接着剤の堆積のパターンが適用されてもよく、これによって弾性部材３７、３９の弛緩及び収縮の際に形成されるシャーリングは、若干均一で、均等に配分され、かつきちんとした外観を有する。
【００２５】
また、図３Ａ〜図３Ｃ及び図４Ａ〜図４Ｋにも示されるように、ベルト構造部は、長手方向に延在する包囲層４２を含んでもよい。包囲層４２は、ベルト構造部の前側及び後側部分の周りだけでなく、前側部分から延在し、股部区域を通してシャーシ２０の周囲及び下、並びに後側部分内も包む層を形成してもよい。包囲層４２は、ベルト構造部３０の後側部分３２、中央シャーシ２０、及びベルト構造部３０の前側部分３１の層として配置される、単一の材料ウェブで形成されてもよい。包囲層４２は、図３Ａ及び図４Ａ〜図４Ｇで示唆されるように前側及び後側部分においてベルト構造部３０の外側層を、図３Ｂ及び図４Ｈで示唆されるように、前側及び後側部分において中間層を、又は図３Ｃ及び図４Ｋで示唆されるように内側層を形成するように配置される場合がある。包囲層４２は、柔軟性及び機械的な強度の所望の特性を有する任意の好適な不織布ウェブ材料で形成されてもよい。
【００２６】
包囲層４２が、第１のベルト層４０、弾性部材３６、３７、３８及び３９、並びに第２のベルト層４１を結合する工程より後に生じる工程でベルト構造部３０に追加されてもよい。いくつかの状況では、弾性部材の層４０及び４１への取り付け並びに弾性部材３６、３７、３８及び３９の予歪みを与えた状態から弛緩及び収縮によって生じる層４０、４１におけるシャーリングは、比較的平滑な肌ざわり及び着用者の皮膚に対する表面を提供する様式で形成される場合がある。図１０Ａ〜図１０Ｃを参照すると、第３の層によって提供される１つの有利点は、１つ以上の弾性部材３６、３７、３８、及び３９をその間に有する層４０及び４１を含むベルト構造部３０の部分の積層化に続く工程の間、包囲層４２は、別個のそして異なる第２のシャーリング４７の構成を形成するように、取り付け点４６において、第２のベルト層４１の外側表面に結合してもよいことである。結果として、包囲層４２は、第１の又は第２のベルト層４０、４１上に既存のより大きい第２のシャーリングを付与してもよく、より大きい程度の伸長及び／又は高い感覚の外観を提供する。例えば、層４０、４１及び間に入る弾性要素によって積層が形成されるベルトにおけるシャーリングの外観及び／又は高さ及び間隔の差異は、包囲層４２を取り付け点４６においてもう一方の層に付着するために使用される接着剤の種類が異なること及び／又は接着剤堆積又は機械的な接合のパターンが異なることによって、達成することができる。例えば、弾性部材は、シャーリングの第１の構成部を生成する第１の接着剤又は機械的な接合パターンによって、第１のベルト層４０及び第２のベルト層４１に結合されてもよく、次いで、この前の形の弾性のある多層ウェブ構造部は、接着剤の堆積の異なるパターンを介して包囲層４２に結合してもよく、結果として前の形の弾性のある多層ウェブ構造のものとは別個の異なる構成のシャーリングが得られる。かかる差異は、強化された外見、及び触覚的な柔軟性、皮膚炎症又はシャーリングにおける圧力の集中から生じる可能性があるマーキングの可能性の低減、衣服の下のかさばりの低減、改善された伸長、及び他の知覚される利点の特性を提供する。代替的な実施例では、層４０、４１、及び／又は４２のうちの１つ以上は、部分的に歪みを与えた状態で適用してもよい、エラストマーの不織布材料（すなわち、その繊維成分が、エラストマーのポリマーで形成される不織布材料）又はエラストマーの発泡体材料などの延伸性の多孔質基材を含んでもよく、それによってかかる層では、ベルトが弛緩して、収縮した状態である時に、シャーリングのサイズを減らす。追加的に、図３Ａから理解することができるように、１つの構成では、包囲層４２は、接合部を隠し、平滑な、統一された外向きの外見に更に貢献するように、中央シャーシ２０とベルト構造部３０との間の接合部の上をカバーするように、配置されてもよい。図１０Ａ〜図１０Ｃは、非限定的な実施例であり、その間に配置される弾性部材を有するウェブ材料の３つの層の他の構成が、層のそれぞれにシャーリングの異なるパターンを付与するために、製造されてもよいことが理解されるであろう。
【００２７】
層４０、４１、及び４２のうちのいずれかを形成するために有用である好適な不織布ウェブ材料の実施例は、同時係属中の米国特許出願整理番号第１３／０９０，７６１号に記載される。
【００２８】
図４Ｂ〜図４Ｋは、パンツの異なる実施形態により、その断面図４−４（図２）が、第１のベルト層４０、第２のベルト層４１、及び包囲層４２を有するベルト構造部を有する場合がある、代替的な構成部を図示する。図４Ａ及び図４Ｂ〜図４Ｃ、並びに図４Ｄ〜図４Ｅの比較によって理解されるであろうように、腰部弾性部材３６、３７、及び脚部弾性部材３８、３９は、層４０、４１及び４１、４２の異なる対の間に配置されてもよく、層の間で交互の配列を有してもよい。これらの弾性部材の配列の様々な場所は、製造及び／又はパンツの外側の外観の変化に柔軟性を提供する。例えば、消費者に適合性及び伸縮性を知らしめる場合がある、ウエストライン及び／又はレッグバンド区域で顕著である、予歪みを与えた弾性部材の弛緩及び収縮によって付与されるシャーリングが望ましい場合がある。この状況では、例えば、腰部弾性部材３６、３７を、中間に配置されるベルト層と外向きに配置される層との間に配列するのが望ましい場合がある。代替的には、シャーリングの外観が、部分的に柔らげられる、又は隠されるのが望ましい場合がある。この状況では、例えば、脚部弾性部材３８、３９を中間に配置される層と内向きに配置される層との間に配列するのが望ましい場合がある。別の代替例では、弾性部材を外向きに配置される層と中間に配置される層との間に配列することは、内向きに配置される層により平滑な肌ざわりを付与する場合があり、それによって着用者の皮膚に接近してより快適な表面を提供する。図４Ｄ及び図４Ｅの代替的な図示では、製造の間に、弾性部材をウェブに適用するときに、特に曲線状の経路にそって適用する場合、いくつかの場所に一緒に部材の束を有さずに、長手方向の近い間隔を達成するのが困難である場合があるので、腰部バンド及びレッグバンド区域の一方又は両方でのより大きい力のプロファイルのための、異なる層の対の間の弾性部材の交互配列は、すべての弾性部材が、同一の層の間に配置される場合に達成可能であることになるのよりも、より近い長手方向分布を可能にするように機能する場合がある。
【００２９】
更に他の実施例では、腰部又はレッグバンド区域に沿った弾性部材は、最も外側の層の外側の、腰部開口部又は脚部開口部の周りに追加されてもよい。図４Ｆ及び図４Ｇを参照すると、追加の弾性部材３７ａ、３９ａは、弾性部材３７、３９と置き換えられてもよく、又はこれらへの補足であってもよい。図４Ｆ及び図４Ｇに示唆されるように、追加の脚部弾性部材３９ａ及び腰部弾性部材３７ａは、まず、内側及び外側のバンド層５１、５２を有する弾性のあるバンド構造物内に組み込まれてもよい。内側及び外側のバンド層５１、５２は、不織布ウェブ材料、フィルム材料、又はこれらの組み合わせのそれぞれで形成されてもよい。一実施例では、単一の層は、追加の弾性部材３７ａ及び／又は３９ａをその間に取り囲みかつ挟み込むように層自体の上に折り重ねてもよい。一実施形態では、脚部弾性部材は、弾性レッグバンド積層体を生成するように、２つのキャリア層の間に線形の様式で適用されてもよく、弾性レッグバンド積層体は、引き続いて曲線状の経路に沿って、最も外側の層又はベルト構造部の部分に適用されてもよい。パンツの外側表面における、その間に弾性部材を有する外側のバンド層５１及び５２の弾性積層体の設置は、伸縮性及び適合並びにきちんとバンドを巻いた外観の視覚信号を提供してもよく、一方で弾性部材を移動して、結果として、構造部の外側の部分に、着用者の皮膚から離れてシャーリングが得られる。
【００３０】
１つ以上の弾性部材３６、３７、３８、及び３９は、その他のもののうちの１つ以上とは、異なる伸長及び力の特性を付与するように、様々な方法で異なっていてもよい。例えば、着用している間、特定の設計の状況によって異なる、これらの開口の周りがぴったりと適合するように、曲線状の脚部弾性部材は、脚部開口部の周りには、腰部開口部の周りに存在するより大きい又はより小さい張力を行使するのが望ましい。弾性部材３６、３７、３８、及び３９のうちの１つ以上は、多数の弾性ストランド又はバンド、弾性ストランド又はバンドの断面サイズ、弾性ストランド又はバンドの断面形状、弾性ストランド又はバンドを形成する材料の化学組成、パンツの製造の間に弾性ストランド又はバンドに付与される予歪みの量、ストランドの間隔、及びこれらの組み合わせから選択されたものについて、他のもののうちの１つ以上とは異なるように、選択及び／又は構成されてもよい。
【００３１】
ベルト構造部に対して、腰部及び脚部弾性部材によって付与されるかかる能力と同一の様式で、更なる伸長、収縮、及び負荷／力に耐える能力を付与するように、腰部弾性部材３６、３７及び曲線状の脚部弾性部材３８、３９に加えて、追加的な弾性部材（図示せず）は、長手方向にその間に含まれてもよい。追加的な弾性部材は、上述のように、弾性部材３６、３７、３８及び３９のうちのいずれかと同一の一対の層の間に配置される場合があり、又は異なる一対の層の間に配置される場合があり、異なる一対の層の間の交互の場所に配置される場合がある。
【００３２】
上記のいくつかの実施例、並びに明示的に記載されていない他の実施例も、これらは、比較的効率的な製造に役立つ場合が有るので、有利である場合がある。
【００３３】
図５Ａ及び図５Ｂを参照すると、前側部分３１及び後側部分３２の両方のために（図２参照）、第１のベルト層４０又は第２のベルト層４１のうちの１つを形成するために使用される第１の不織布ウェブ７０は、機械方向ＭＤに移送される。第１の不織布ウェブ７０が、機械方向に移動すると、１つ以上の脚部弾性部材３８、３９は、１つ以上の曲線状の経路に沿って、第１の不織布ウェブ７０に適用されてもよい。（代替的には、弾性部材のうちのいくつかは、以下に記載するように、後の工程で適用されてもよい。）弾性部材３８、３９に対する曲線状の経路のそれぞれは、ウェブに沿って機械方向軸について互いに鏡面対称であってもよく、又はこれらは最終製品の前側と後側とで異なっていてもよい、レッグバンドプロファイルを提供するようにいくつかの点で異なっていてもよい。図７を参照すると、弾性部材３８、３９に対する曲線状の経路は、これらが、以下に記載するよう切断されたときに、切断された端部が近接し、かつ更に適合し、又は整列し、相補し、かつ／若しくは効果的に中央シャーシ２０のレッグカフ構成要素上に存在するレッグカフ弾性部材２１の延長部を形成するように、配設されてよい。これは、着用者の脚部を完全に取り囲む外観及び／又は弾性のあるレッグバンドの機能を提供する。脚部弾性部材は、例えば、米国特許第８，０６２，４５４号、及び同第８，０７５，７２２号、又は米国特許出願整理番号第１２／３６２，９８１号、同第１２／３６３，００２号、同第１２／３６３，０２３号、及び同第１２／３６３，０４８号に記載される方法及び機器を介して曲線状の経路に沿って適用されてもよい。
【００３４】
この工程と同時に、又はこの工程の前若しくは後に、実質的に直線的な経路に沿って、１つ以上の腰部弾性部材３６、３７が、第１の不織布ウェブ７０に適用されてもよく、ウェブの外側の縁部７０ａ、７０ｂに沿って適用されてもよく、それらから等しい間隔又は変化する間隔で離間されてもよいが、これによって完成品のパンツの側方の方向にほぼ沿って配置される。別の実施例では、脚部弾性部材３８、３９、又はこれらすべてより少ない数のものが、第２の不織布ウェブ層８０及び／又は第１の弾性のある多層ウェブ９０の外側の表面に適用され、引き続いて、図５Ｂに図示するように、ローラー１００、１０１で積層される。
【００３５】
これらがウェブに適用されると、弾性部材は、製造の完了、及びそれに続く弛緩の際、寄せ集められた不織布材料のシャーリングが生成され、パンツが着用されたときにこれが弾性伸長に順応するように制御された量だけそれらのより長い方の方向に予歪みを与えられる。弾性部材は、適用の前にウェブ若しくは弾性部材、又はその両方に塗布された接着剤によって、これらの適用の経路に沿ってウェブ７０に接着されてもよい。図５Ｂを参照すると、腰部弾性部材及び脚部弾性部材のウェブ７０への適用に引き続いて、第１の不織布ウェブ７０及び第２の不織布ウェブ８０（別のベルト構造部の構成要素層を形成するための）は、ニップを積層ローラーの第１の対１００、１０１の間を通してもよい。接着剤が、ウェブ７０、８０のうち少なくとも１つの、もう一方に面する表面に塗布される場合、積層ローラーを通りぬける通路は、ウェブをともに接着し、それらの適用経路に沿って弾性部材をウェブ７０と８０との間の定位置に付着して、第１の弾性のある多層ウェブ９０を形成する。一実施例では、不織布ウェブ８０は、ウェブ７０の全体をカバーする、横断方向を横切って延在する単一の連続ウェブであってもよく、又はウェブ８０は、ウェブ７０の前側部分及び後側部分（すなわち、図５Ａに関して、左側部分及び右側部分）のみをカバーするように、横断方向に離間した２つの分離したウェブであってもよい。代替的に、又は加えて、ローラー１００、１０１の一方又は両方は、ウェブ７０、８０をともに付着する別個の接合の対応するパターンが、熱、圧力、又はこれらの組み合わせを通してニップに印加されるように、その上に、別個の接合突出部のパターンを有してもよく、ローラー１００、１０１の一方又は両方は、それに供給された加熱エネルギーを有してもよい。しかしながら、積層体を形成するために、接着剤を使用するのが、熱／圧力接合よりも好ましい場合がある。後者の方法は、弾性部材を損傷する場合があり、かつ前者は、弾性部材を定位置に付着し、かつ保持するために、より信頼性があると見なされる場合があり、かつウェブ９０に対して弾性部材の変位を防ぎ、結果として、それに続く予歪みを収縮する傾向をもたらす。しかしながら、別の代替案では、弾性部材を接着するために、それらの適用の経路に沿って、接着剤が使用されてもよく、適用される弾性部材によって位置を占められていない区域において、ウェブ７０、８０をともに付着するためには熱／圧力接合が使用されてもよく、ローラー１００、１０１の一方又は両方の上の別個の接合突出部のパターンは、適宜配設される。別の代替的実施例では、積層体の形成に引き続き、ウェブ９０は、機械的接合の対象とされてもよい。
【００３６】
上記の工程は、弾性部材３８、３９を含むウェブの部分が、以下に記載され、図６Ａ〜図６Ｄに図示されるように切り取られたとき、その切り取った端部が実質的に跳ね返り、丸まってしまう可能性を少なくする様式で、予歪みを与えた弾性部材、例えば、不織布ウェブの２つの層の間の脚部弾性部材３８、３９の確保及び接合を提供する。これは、最終製品、例えば、脚部開口部に対して、かかる弾性部材が脚部開口部に近接して切り取られたときに、よりきちんとした外観を提供する。
【００３７】
その形成に続いて、１つの代替案では、例えば、米国特許第５，１６７，８９７号、同第５，１５６，７９３号、及び同第５，１４３，６７９号、又は米国特許出願整理番号第１０／２８８，０９５号、同第１０／２８８，１２６号、同第１０／４２９，４３３号、同第１１／４１０，１７０号、同第１１／８１１，１３０号、同第１１／８９９，６５６号、同第１１／８９９，８１０号、同第１１／８９９／８１１号、同第１１／８９９，８１２号、同第１２／２０４，８４４号、同第１２／２０４，８４９号、同第１２／２０４，８５４号、同第１２／２０４，８５８号、又は同第１２／２０４，８６４号、並びに本願と同一の日付で、Ｚｉｎｋらの名前で出願された、特許弁護士協議事項表番号第１２４１３Ｐ号、同第１２４１４Ｐ号、及び同第１２４１５Ｐ号の同時係属中の米国特許出願に記載されるように、第１の弾性のある多層ウェブ９０は、層におけるシャーリングの整然としたパターンにより外観を付与し、その形成を促進し、又はこれに影響を与える、漸進的な伸長及び／又はリングロール機器を通過してもよい。
【００３８】
図６Ａ〜図６Ｅを参照すると、次いで、第１の弾性のある多層ウェブ９０は、ウェブ９０から切り取り線９６に沿って中間セクション９７を切り取る、切断機器を通過してもよく、次いで、中間セクション９７は、除去されてもよい。これは、図６Ａ〜図６Ｄに示唆するように、繰返しの間隔で、脚部弾性部材３８、３９を切り取り、第１の弾性のある多層ウェブ９０の前側及び後側腰部セクション９８、９９を残す。図６Ｂ及び図６Ｄから、切り取り線９６は、非線形であってもよく、切断型は、横断方向にシフトし、かつ／又は脚部弾性部材３８、３９の経路にほぼ平行な切り取り線に沿って切断されるように構成されてもよいことが理解される場合がある。図６Ｂ及び図６Ｄにも示唆するように、切断型は、図１及び図２に示唆されるように、最終製品のパンツの脚部弾性部材の切り取られた端部の長手方向に配向した切断及び配設に影響を与えるように、脚部弾性部材及び組込まれるウェブ層を横断方向で切り取るように構成されてもよい。したがって、一実施例では、図６Ａで切り取り線９６によって示唆される機械方向の線に沿ってではなく、図６Ｂで切り取り線９６によって示唆されるように、弾性部材３８、３９を横断方向の線に沿って切断するのが望ましい場合がある。これは、弾性部材３８、３９の切り取った端部が、きちんと長手方向に、すなわち、中央シャーシ２０の長手方向縁部２１に沿って同様の側方の場所に、配設されるのを可能にする（例えば、図１及び図２参照）。
【００３９】
脚部弾性部材の切り取りに引き続いて、１つの代替案で、層の脚部弾性部材と同一の対の層の間にすでに追加され、かつ配置される補足的な腰部弾性部材が望ましい場合、又は、別の代替案で、腰部弾性部材が、脚部弾性部材３８、３９とは異なる対の層の間に配置されるのが望ましい場合、１つ以上の腰部弾性部材が、前側及び後側腰部セクション９８、９９に適用されてもよい。
【００４０】
図６Ｅを参照すると、次いで、前側及び後側腰部セクション９８、９９は、ベルト構造部の前の形である、第２の弾性のある多層ウェブ９５を形成するように、第３の層ウェブ９１（これも不織布ウェブであってもよい）とともに、第２の対の積層ローラー１０２、１０３の間にニップを通してもよい。前側及び後側ベルトセクションの間の間隔を増加する又は減少するように、前側及び後側腰部セクション９８、９９、及びウェブ９１を、ローラー１０２、１０３の間をニップを通って通す前に、前側及び後側腰部セクション９８、９９の一方又は両方は、横断方向にシフトしてもよい。追加的に、前側及び後側腰部セクションの一方又は両方は、予歪みを与えた弾性部材の収縮を通して、機械方向に沿って、部分的に（しかし全体でなく）弛緩及び収縮することができてもよい。これにより、結果的に弾性部材の周りのウェブ９１に、第１の及び第２の不織布ウェブの結果得られたものと比較すると、数がより少なく、かつ／又は高さ／深さが低く、かつ／又は異なる間隔のシャーリングをもたらす様式で、第３の層ウェブ９１を積層体に適用することができ、それによって、ベルト構造部の外側層ウェブ構成要素に異なる外観及び／又は感触を提供する。第３の層ウェブ９１は、連続的なウェブ様の適用で、又は連続的な若しくは不連続的なパターンで、１つ以上のその面する表面に塗布した接着剤によって前側及び後側腰部セクション９８、９９に付着されてもよく、上記のように、パターンは、第３の層に見られるシャーリングの特性に影響するように構成されてもよい。代替的に、又は加えて、ウェブ９０、９１をともに付着するための対応する別個の接合のパターンが、熱、圧力、又はこれらの組み合わせを通してニップに印加されるように、ローラー１０２、１０３の一方又は両方は、別個の接合する突出部のパターンをその上に有してもよく、かつローラー１０２、１０３の一方又は両方は、これに供給される加熱エネルギーを有してもよい。パターンは、弾性部材を損傷しないように、かつ別個のシャーリングのパターンを有しない外観を提供するように、弾性部材が位置を占める区域を避けるように配設されてもよい。
【００４１】
本明細書に記載されるように、ベルト構造部内に、（弾性部材に加えて）第３の層を含むことによって提供されるいくつかの利点がある。第１に、上記するように、３つの層を含むことによって、ベルト構造部の内側又は外側に露出される、シャーリングの、最初の２つの層内に形成されるパターンとは異なるパターンの形成を可能にする。第２に、第３の層を含むことによって、異なる層の対の間で、異なる区域（例えば、腰バンド区域及び脚バンド区域）における弾性部材の場所に関する選択肢が提供される。例えば、図４Ａ〜図４Ｃ、図４Ｄ、図４Ｅ、及び図４Ｈ〜図４Ｊを参照のこと。これは、製造者がベルト構造部の機械的特性、快適さ、及び外観を操作することができるようにする。
【００４２】
その形成に続いて、１つの代替案では、例えば、米国特許第５，１６７，８９７号、同第５，１５６，７９３号、及び同第５，１４３，６７９号、又は米国特許出願整理番号第１０／２８８，０９５号、同第１０／２８８，１２６号、同第１０／４２９，４３３号、同第１１／４１０，１７０号、同第１１／８１１，１３０号、同第１１／８９９，６５６号、同第１１／８９９，８１０号、同第１１／８９９／８１１号、同第１１／８９９，８１２号、同第１２／２０４，８４４号、同第１２／２０４，８４９号、同第１２／２０４，８５４号、同第１２／２０４，８５８号、又は同第１２／２０４，８６４号、並びに本願と同一の日付で、Ｚｉｎｋらの名前で出願された、特許弁護士協議事項表番号第１２４１３Ｐ号、同第１２４１４Ｐ号、及び同第１２４１５Ｐ号の同時係属中の米国特許出願に記載されるように、第２の弾性のある多層ウェブ９５は、層におけるシャーリングの整然としたパターンにより外観を付与し、その形成を促進し、又はこれに影響を与える、漸進的な伸長及び／又はリングロール機器を通過してもよい。
【００４３】
図７を参照すると、この工程に引き続いて、中央シャーシ２０構造部は、第２の弾性のある多層ウェブ９５の表面のいずれかに適用され、かつ熱接合、接着剤接合、機械的な締結、又はこれらの組み合わせを含む任意の適切な方法によってこれに付着されてもよい。中央シャーシ２０が、例えば、米国仮特許出願第６１／４８０，６６３号に記載されるような、レッグカフ弾性部材２１ａを有する、弾性のあるレッグカフ構造部、を含む場合、これらは、脚部弾性部材３８、３９の切り取られた端部に近接するカフ接合場所２１ｂにおいてベルト構造部に直接付着されてもよく、これは、着用者の脚部を実質的に又は完全に取り囲む弾性のあるカフ／バンディング構造部の効果的な生成を提供する場合がある。
【００４４】
最後に、図２に示すもののような個々のパンツの前の形の構造は、ウェブから分離線１２０に沿って切り取られて、分離されてもよい。この切り取る工程と同時に、又はこの工程の前に、ウェブ９５の構成要素外側層ウェブ９１内に脚部開口部の切り欠き１１１が作成されてもよい。単一の運動回転する切断型が、作製され、アンビルローラーと対になって、単一の操作で分離線９８及び脚部切り欠き１１１に沿って切断する効果がある切断ニップを形成してもよい。（上記で留意されるように、別の代替案では、脚部開口部切り欠きは、上記されている、図６Ｂ及び図６Ｄに示唆されるように、切り取り線９６に沿って、中間セクション９７が切り取られる、切断工程と同時に作製されてもよい。）分離線１２０に沿ってウェブを切り取る、最終的な切断工程は、例えば、図２に示すように、個々のパンツの前の形の構造を切り取る。
【００４５】
しかしながら、別の代替案では、適用される中央シャーシ２０構造部と組み合わせられる第２の弾性のあるウェブ９５全体は、個々のパンツ構造部を切り取る前に、折り曲げ装置（図示せず）を通過させられてもよい。折り曲げ装置は、組み合わせられたウェブ９５及びシャーシ２０構造部全体を、機械方向に延在する折り曲げ線１１０に沿って折り曲げ、中央シャーシ２０を折り曲げの内側に折り曲げるように構成されてもよく、それによって、パンツ構造部を切り取る前に、前側部分３１と後側部分３２とを一緒にする。その後、組み合わされ、折り曲げられたウェブ９５及び中央シャーシ２０は、分離線１２０の両側に沿ってシームを形成し、前側部分３１と後側部分３２とをサイドシーム３３ｒ、３３ｌにおいて結合し（図１参照）、個々のパンツ１０をウェブ９５から切り取る、シーミング及び切断機器を通過してもよい。この最終的なシーミング及び切断操作は、同時に実行されるのが望ましい場合があり、シーミング及び切断機器は、分離線１２０の両側に沿ってウェブ材料を同時に圧縮し、分離線１２０に沿って材料を切断するように構成されるシーミング及び切断型を含む。加熱エネルギーは、ウェブ材料がシーム３３ｒ、３３ｌを形成するように、圧縮が熱接合の効果を持つように、シーミング及び切断機器に供給されてもよい。
【００４６】
前述の製造工程によって提供されてもよい利点は、それらの切り取られた端部は、定位置に保持され、かつ積層体構造部内の定位置に保持されることによって収納されるのを防ぐ一方で、これらが、中央シャーシ２０の長手方向縁部２１（図２参照）に近接する場所においてきちんと終端するように、脚部弾性部材３８、３９の切り取りを提供することである。これは、いくつかの現在市販されているパンツの設計に存在するような、シャーシの前側及び後側にわたる目障りなこれらの弾性部材の継続を除去する。他の現在市販されているパンツの設計は、シャーシの長手方向縁部に近接して終端する切り取られた脚部弾性部を有するが、実質的な「スナップバック」を呈し、弾性部材の切り取られた端部は、格納し、かつ／又は構造部内で弯曲した未完成を提示する、目障りな外観を有する。あらゆる切り取りの前に、弾性部材が積層体構造部の層の間に接着、又は他の方法で固定される、上記に記載される工程は、この影響を避ける助けとなる。
【００４７】
ヒステリシス試験
得られた対象材料の試料は、試験における伸縮方向に沿って少なくとも１５ｍｍのゲージ長を提供するのに十分で、少なくとも５ｍｍの一定幅（試験における伸縮方向に垂直）を有するものでなければならない。
【００４８】
ヒステリシス試験は、様々な特定された歪み値に使用することができる。ヒステリシス試験は、（例えば、Ｉｎｓｔｒｏｎ  Ｅｎｇｉｎｅｅｒｉｎｇ  Ｃｏｒｐ．（米国マサチューセッツ州Ｃａｎｔｏｎ）、又はＳＩＮＴＥＣＨ−ＭＴＳ  Ｓｙｓｔｅｍｓ  Ｃｏｒｐｏｒａｔｉｏｎ（米国ミネソタ州Ｅｄｅｎ  Ｐｒａｉｒｉｅ）、又は同等の業者から）コンピュータと連動する市販の引張試験機を使用する。コンピュータを使用して、試験速度及び他の試験パラメータを制御し、データの収集、計算、及び報告をする。試験は、２３℃±２℃及び湿度５０％±２％の実験室条件下で行われる。試料は試験前に２４時間かけて条件にならす。
【００４９】
試験プロトコル
１．適切なグリップ及びロードセルを選択する。グリップは、平面を有していなければならず、その全幅に沿って試料を把持するのに十分広くなければならない。また、グリップは、試料が試験中に滑らないことを確実にするのに十分な力を提供しなくてはならない。試験する試料からの引張応答が、使用されるロードセルの許容量の２５％〜７５％であるようにロードセルを選択する。
２．メーカーの指示に従って試験装置を較正する。
３．グリップ間の距離（ゲージ長）を１５ｍｍに設定する。
４．均一な幅がゲージ長方向に垂直な方向に沿って位置するように、グリップの平面に試料を設置する。試料を上グリップで固定し、試料をたるんだ状態で垂れ下がるようにし、次いで下グリップを閉じる。たるみの予荷重を０．０２Ｎ／ｃｍに設定する。これは、０．０２Ｎ／ｃｍの力でたるみが取り除かれたときに（１０ｍｍ／分の一定のクロスヘッド速度で）、データ収集が開始するということを意味する。変形は、０．０２Ｎ／ｃｍの力での引張試験機のグリップの間の試料の長さである、調整されたゲージ長（ｌｉｎｉ）に基づいて計算される。この調整されたゲージ長は、初期の試料の長さとして取られ、０％歪みに相当する。試験中の任意の点での変形百分率は、長さにおける変化を、調整されたゲージ長で割って、１００を掛けることによって定義される。
【００５０】
５（ａ）第１周期負荷：１００ｍｍ／分の一定のクロスヘッド速度で、試料を指定された歪み（本明細書では１００％）まで引っ張る。グリップ間で引っ張られた試料の長さをｌｍａｘとして報告する。
５（ｂ）第１周期負荷解除：試料を指定された歪みで３０秒間保持し、次にクロスヘッドを１００ｍｍ／分の一定クロスヘッド速度でその開始位置（歪み０％又は初期試料長、ｌｉｎｉ）に戻す。歪みのない状態で試料を１分間保持する。
５（ｃ）第２周期負荷：１００ｍｍ／分の一定のクロスヘッド速度で指定された歪みまで試料を引っ張る。
５（ｄ）第２周期負荷解除：次に１００ｍｍ／分の一定クロスヘッド速度でその開始位置（すなわち、歪み０％）に戻す。
【００５１】
コンピュータデータシステムが、試験中に試料にかけられる力を、適用されたひずみの関数として記録する。生成された結果データから、以下の数量が報告される（荷重は、力を試料の幅で割ったものとして報告され、試料の厚さを考慮しないことに注意）。
ｉ．０．０２Ｎ／ｃｍ（ｌｉｎｉ）のたるみの予負荷でのグリップ間の０．００１ｍｍ単位の試料の長さ。
ｉｉ．指定された歪み（ｌｍａｘ）での第１周期でのグリップ間の試料の長さ、０．００１ｍｍ単位。
ｉｉｉ．０．０２Ｎ／ｃｍ（ｌｅｘｔ）の第２周期負荷力でのグリップ間の試料の長さ、０．００１ｍｍ単位。
ｉｖ．％硬化、これは（ｌｅｘｔ−ｌｉｎｉ）／（ｌｍａｘ−ｌｉｎｉ）＊１００％で定義され、０．０１％単位。
【００５２】
試験は６つの別個の試料に対して繰り返され、平均及び標準偏差が記録される。
【００５３】
ヒステリシス試験は、測定される特定の材料試料の予測された特質及び／又は特性に応じて、適切に修正されることができる。例えば、試験は、上記で指定される長さ及び幅の試料が対象のパンツから利用可能ではない場合、適切に修正されてよい。
【００５４】
本明細書で引用するすべての特許及び特許出願（明細書に記載されているいかなる特許をも含む）は、引用することによって、本明細書と矛盾しない範囲で参照により本明細書に組み込まれる。
【００５５】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味するものとする。例えば、「４０ｍｍ」として開示された寸法は、「約４０ｍｍ」を意味することを意図する。本発明の「発明を実施するための形態」で引用したすべての文献は、関連部分において参照により本明細書に組み込まれるが、いずれの文献の引用もそうした文献が本発明に対する先行技術であることを容認するものとして解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【００５６】
本発明の特定の実施形態が例示され記載されてきたが、本発明の趣旨及び範囲から逸脱することなく他の様々な変更及び修正を実施できることが、当業者には自明であろう。したがって、本発明の範囲は、特許請求の範囲及びその均等物のみによって制限されることが意図される。
【図１】
2015515921.tif 000003
【図２】
2015515921.tif 000004
【図３Ａ】
2015515921.tif 000005
【図３Ｂ】
2015515921.tif 000006
【図３Ｃ】
2015515921.tif 000007
【図４Ａ】
2015515921.tif 000008
【図４Ｂ】
2015515921.tif 000009
【図４Ｃ】
2015515921.tif 000010
【図４Ｄ】
2015515921.tif 000011
【図４Ｅ】
2015515921.tif 000012
【図４Ｆ】
2015515921.tif 000013
【図４Ｇ】
2015515921.tif 000014
【図４Ｈ】
2015515921.tif 000015
【図４Ｉ】
2015515921.tif 000016
【図４Ｊ】
2015515921.tif 000017
【図４Ｋ】
2015515921.tif 000018
【図５Ａ】
2015515921.tif 000019
【図５Ｂ】
2015515921.tif 000020
【図６Ａ】
2015515921.tif 000021
【図６Ｂ】
2015515921.tif 000022
【図６Ｃ】
2015515921.tif 000023
【図６Ｄ】
2015515921.tif 000024
【図６Ｅ】
2015515921.tif 000025
【図７】
2015515921.tif 000026
【図８】
2015515921.tif 000027
【図９】
2015515921.tif 000028
【図１０Ａ】
2015515921.tif 000029
【図１０Ｂ】
2015515921.tif 000030
【図１０Ｃ】
2015515921.tif 000031
【国際調査報告】
2015515921.tif 000032
2015515921.tif 000033
2015515921.tif 000034
2015515921.tif 000035